(57)【要約】【課題】  画像形成装置で形成された記録媒体に対して加熱により後処理を行う後処理装置を備えた画像形成システムにおいて、画像形成装置のウォームアップを短時間に完了させること、および、画像形成システムの消費電力を節約することと最大消費電力を簡単な構成で抑制することを課題とする。【解決手段】  印刷ジョブを入力するジョブ入力部と、前記印刷ジョブを判別する印刷ジョブ判別手段と、制御部を有し、印刷ジョブ判別手段で判別された判別結果に基づいて、制御部にて後処理装置の加熱部の温度を制御する。【選択図】        図１２
2006082543.tif 000002
【特許請求の範囲】
【請求項１】
画像形成装置で形成された記録媒体に対して後処理を行う後処理装置を備えた画像形成システムにおいて、
前記後処理装置は加熱部を有し、
前記画像形成システムは、
印刷ジョブを入力するジョブ入力部と、
前記印刷ジョブを判別する印刷ジョブ判別手段と、
前記印刷ジョブ判別手段で判別された判別結果に基づいて、前記加熱部の温度を制御する制御部と、
を有することを特徴とする画像形成システム。
【請求項２】
前記制御部は、前記判別結果に基づいて、前記加熱部の温度を上昇させることを特徴とする請求項１に記載の画像形成システム。
【請求項３】
前記印刷ジョブには、前記記録媒体に対する後処理情報が含まれており、
前記印刷ジョブ判別部は、前記印刷ジョブに含まれる後処理情報を判別し、
前記制御部は、前記印刷ジョブ判別部で前記印刷ジョブに後処理情報が含まれると判別された場合に、前記加熱部の温度を上昇させることを特徴とする請求項２に記載の画像形成システム。
【請求項４】
前記制御部は、前記印刷ジョブ判別部で判別された判別結果に基づいて、前記加熱部のウォームアップを開始することを特徴とする請求項２または請求項３に記載の画像形成システム。
【請求項５】
前記制御部による前記加熱部のウォームアップの開始は、前記加熱部に対する通電を遮断した状態から前記加熱部に対して通電する状態への移行であることを特徴とする請求項４に記載の画像形成システム。
【請求項６】
前記印刷ジョブには、前記記録媒体に対する後処理情報が含まれており、
前記制御部は、前記印刷ジョブ判別部で前記印刷ジョブに前記加熱部を使用する後処理情報が含まれると判別された場合に、前記加熱部の温度を上昇させることを特徴とする請求項４または請求項５に記載の画像形成システム。
【請求項７】
前記画像形成装置は、画像形成動作が可能なモードと前記画像形成が可能なモードよりも消費電力が低い低消費電力モードを有し、
前記制御部による前記加熱部のウォームアップは、前記低消費電力モードから前記画像形成動作が可能なモードへの移行であることを特徴とする請求項４に記載の画像形成システム。
【請求項８】
前記印刷ジョブには、前記記録媒体に対する後処理情報が含まれており、
前記印刷ジョブ判別部は、前記印刷ジョブに含まれる後処理情報を判別し、
前記制御部は、前記印刷ジョブ判別部で前記印刷ジョブに後処理情報が含まれると判別された場合に、前記加熱部の温度を第１の温度に制御し、前記印刷ジョブに後処理情報が含まれない場合に、前記加熱部を第２の温度に制御することを特徴とする請求項１に記載の画像形成システム。
【請求項９】
前記加熱部は、前記後処理装置で行う処理のための加工材を加熱するためのものであることを特徴とする請求項１〜８のいずれか１項に記載の画像形成システム。
【請求項１０】
前記加熱部は、前記後処理装置が記録媒体束を綴じるための接着剤を溶融させるものであることを特徴とする請求項９に記載の画像形成システム。
【請求項１１】
画像形成装置で形成された記録媒体に対して後処理を行う後処理装置を備えた画像形成システムにおいて、
前記後処理装置は加熱部を有し、
前記画像形成システムは、
第１のウォームアップ開始トリガを検知する第１トリガ検知部と、
第２のウォームアップ開始トリガを検知する第２トリガ検知部と、
前記加熱部のウォームアップを制御する制御部と、
第１のモード又は第２のモードを設定する設定部とを有し、
前記制御部は、前記設定部で第１のモードが設定された場合は、前記第１トリガ検知部による前記第１のウォームアップ開始トリガの検知に応じて前記加熱部のウォームアップを開始し、前記設定部で第２のモードが設定された場合は、前記第２トリガ検知部による前記第２のウォームアップ開始トリガの検知に応じて前記加熱部のウォームアップを開始することを特徴とする画像形成システム。
【請求項１２】
前記第１のウォームアップ開始トリガは、前記後処理装置への電源投入及び前記画像形成装置への電源投入から選ばれる少なくとも一方であり、
前記第２のウォームアップ開始トリガは、後処理設定情報であることを特徴とする請求項１１に記載の画像形成システム。
【請求項１３】
前記第２のウォームアップ開始トリガは、前記加熱部を使用することを示す後処理設定情報であることを特徴とする請求項１２に記載の画像形成システム。
【請求項１４】
前記制御部による前記加熱部のウォームアップの開始は、前記加熱部に対する通電を遮断した状態から前記加熱部に対して通電する状態への移行であることを特徴とする請求項１１〜１３のいずれか１項に記載の画像形成システム。
【請求項１５】
前記加熱部は、前記後処理装置で行う処理のための加工材を加熱するためのものであることを特徴とする請求項１１〜１４のいずれか１項に記載の画像形成システム。
【請求項１６】
前記加熱部は、前記後処理装置が記録媒体束を綴じるための接着剤を溶融させるものであることを特徴とする請求項１５に記載の画像形成システム。
【請求項１７】
前記画像形成装置は、画像形成動作が可能なモードと前記画像形成動作が可能なモードよりも消費電力が低い低消費電力モードを有し、
前記第１のウォームアップ開始トリガは、前記低消費電力モードから前記画像形成動作が可能なモードへの移行指示であり、前記第２のウォームアップ開始トリガは、後処理設定情報であることを特徴とする請求項１１に記載の画像形成システム。
【請求項１８】
前記第２のウォームアップ開始トリガは、前記加熱部を使用することを示す後処理設定情報であることを特徴とする請求項１７に記載の画像形成システム。
【請求項１９】
前記制御部は、前記設定部で第２のモードが設定された場合は、後処理設定情報の内容に応じて、前記加熱部のウォームアップを開始するか否かを決定することを特徴とする請求項１１に記載の画像形成システム。
【請求項２０】
前記画像形成装置がヒータを備えた定着部を有し、前記第１のウォームアップ開始トリガは、前記後処理装置への電源投入及び前記画像形成装置への電源投入から選ばれる少なくとも一方であり、前記第２のウォームアップ開始トリガは、前記定着部のウォームアップ完了であることを特徴とする請求項１１に記載の画像形成システム。
【請求項２１】
画像形成装置で形成された記録媒体に対して後処理を行う後処理装置を備えた画像形成システムにおいて、
前記画像形成装置は加熱部を有し、
前記後処理装置は加熱部を有し、
前記画像形成システムは、第１のウォームアップ開始トリガに応じて前記画像形成装置の加熱部及び前記後処理装置の加熱部のウォームアップを開始する第１のモードと、前記第１のウォームアップ開始トリガに応じて前記画像形成装置の加熱部及び前記後処理装置の加熱部のうちの前記画像形成装置の加熱部のみのウォームアップを開始する第２のモードとを有することを特徴とする画像形成システム。
【請求項２２】
画像形成装置で形成された記録媒体に対して後処理を行う後処理装置を備えた画像形成システムにおいて、
前記後処理装置のウォームアップを、前記画像形成装置のウォームアップ終了後に行うことを特徴とする画像形成システム。
【請求項２３】
前記画像形成装置のウォームアップ終了に応じて、前記後処理装置のウォームアップを開始することを特徴とする請求項２２に記載の画像形成システム。
【請求項２４】
後処理設定情報の内容に応じて、前記ウォームアップを開始することを特徴とする請求項２２に記載の画像形成システム。
【請求項２５】
前記後処理設定情報に前記加熱部を使用する後処理が含まれていることに応じて、前記後処理装置のウォームアップを開始することを特徴とする請求項２４に記載の画像形成システム。
【請求項２６】
前記ウォームアップは、前記後処理装置への電源投入及び前記画像形成装置への電源投入後に行われることを特徴とする請求項２２〜２５のいずれか１項に記載の画像形成システム。
【請求項２７】
前記画像形成装置は、画像形成動作が可能なモードと前記画像形成動作が可能なモードよりも消費電力が低い低消費電力モードを有し、
前記ウォームアップは、前記低消費電力モードから前記画像形成動作が可能なモードへの移行指示後に行われることを特徴とする請求項２２〜２５のいずれか１項に記載の画像形成システム。
【請求項２８】
前記加熱部は、前記後処理装置で行う処理のための加工材を加熱するためのものであることを特徴とする請求項２２〜２５のいずれか１項に記載の画像形成システム。
【請求項２９】
前記加熱部は、前記後処理装置が記録媒体束を綴じるための接着剤を溶融させるものであることを特徴とする請求項２８に記載の画像形成システム。
【請求項３０】
加熱部を有する後処理装置を接続可能であり、
加熱により記録媒体に画像を定着する定着手段を有する画像形成装置において、
前記画像形成装置は、前記後処理装置のウォームアップを該画像形成装置のウォームアップ終了後に行うように制御する制御部を有することを特徴とする画像形成装置。
【請求項３１】
加工材を加熱する加熱手段を有し、印刷ジョブに基づいて記録媒体に対して画像形成を行う画像形成手段と、印刷ジョブを記憶する印刷ジョブ記憶手段とを有する画像形成装置で画像形成された記録媒体に対して、前記加熱手段で加熱された加工材で後処理を行う画像形成システムの制御方法において、
前記印刷ジョブ記憶手段に記憶された印刷ジョブを判別する印刷ジョブ判別工程と、前記印刷ジョブ判別工程で判別された判別結果に基づいて、前記加熱手段の温度を制御する加熱温度制御工程とを含むことを特徴とする画像形成システムの制御方法。
【発明の詳細な説明】
【技術分野】
【０００１】
本発明は、画像形成装置と加熱手段を有する後処理装置とを備えた画像形成システムに関するものである。
【背景技術】
【０００２】
画像形成装置に後処理装置を接続し、画像形成装置から排出された画像形成済みの記録媒体にオンラインで後処理を行うシステムを画像形成システムと呼ぶ。後処理装置には製本機能を有するものがあり、画像形成装置に製本機能を有する後処理装置（以下製本装置とも記す）を接続した画像形成システムでは、画像形成装置から排出された画像形成済みの記録媒体であるシートを製本装置にて冊子形態に綴じ込んで製本し排出する。このような製本装置の製本方法には、シート束の端部を綴じ針（ステイプル）にてシートを綴じる方法や、加熱により軟化、溶融するホットメルト型の接着剤をテープ状に裁断された紙や布製の基材に塗布したテープ（綴じテープ）を加熱しながらシートの端部に圧着して綴じる方法や、シートの端部に糊を塗布して、このシートを整合しながら積載して、最後に糊が塗布されシートの端部を押圧して綴じる手段も提案されている（例えば、特許文献１参照）。これらの製本方法は、それぞれ特徴があり、製本の目的により適宜な手段が選択される。簡易的な製本には、綴じ針を用いる方法が使用されることが多いが、綴じテープを使用する方法は、ページ数が多い場合でも綴じ針を使用する製本方法における綴じ針の長さのような制限がなく、しかも、仕上がりの体裁が良いので、重要な書類などの製本に有効な方法である。
【０００３】
綴じテープを使用する製本方法では、上流側の画像形成装置から排出された画像形成済みのシートを順次積載、整合してシート束を形成した後、シート束の端面部に、加熱部材みて綴じテープを加熱しながら押し当ててバインドし、加熱により軟化、溶融させたホットメルト型接着剤をシート束に移行させ、その後に加熱部材を離間させる。加熱部材の離間によりホットメルト型接着剤は常温に戻り固化するのでシート束および綴じテープが固着されて製本が完了する。
【０００４】
加熱した部材を押し当てることにより綴じテープの接着剤を溶融する加熱部材は、綴じテープを短時間で均一に加熱する必要があることから、部材としては、熱伝導性のよいアルミニウムや、蓄熱性の良好なステンレス等を使用している。この部材と綴じテープが接触する面と反対側の面にはヒータが設けられ、部材が加熱される。
【０００５】
前記部材は、押圧に対応するための強度と、均一な温度分布を要求されることから、熱容量が大きくなる。その結果、ヒータへの通電開始から、前記部材が製本に対応できる所定の温度に到達する間での時間、いわゆるウォームアップ時間が長くなり、画像形成装置の準備が整っても画像形成動作を開始するまでの待ち時間が長くなることもある。
【０００６】
後処理装置のウォームアップ時間を限られた条件下で少しでも短くするための策として後処理装置の加熱部材に複数のヒータを設け、これらのヒータへの電力配分を制御することにより加熱部材全体を均一に温度上昇させるという提案もある（例えば、特許文献２参照）。
【０００７】
画像形成装置に製本装置が接続されている画像形成システムにおいては、製本装置への通電は、一般に画像形成装置の電源投入により開始される。ウォームアップについて述べれば、画像形成装置の電源投入、或いはパワーセーブモードやスリープモードと呼ばれる省エネルギーモード（省エネモードともいう）からの起動がなされると、画像形成装置のウォームアップと製本装置のウォームアップは同時に開始される。画像形成システムに使用される画像形成装置が加熱により画像の定着を行う定着部を有している場合には、画像形成装置の電源投入或いは省エネモードからの起動時に画像形成装置の定着部および製本装置の加熱部材のヒータへウォームアップのための電力を同時に供給することになり、画像形成システムのウォームアップ時の消費電力は大きくなる。特に、電源投入時は、画像形成装置の定着部および製本装置の加熱部材のヒータの温度が低く電気抵抗値が低いので、消費電力はさらに大きくなり、画像形成システムにおける消費電力は電源投入時に最大となる。
【０００８】
ところで、画像形成システムを設置するにあたり、ユーザは使用可能な配電盤やコンセントの供給可能電力を前提に画像形成装置や製本装置の選択を行わなければならない。接続される配電盤やコンセントの供給電力には制限があり、設置環境の配電盤やコンセントの供給可能電力によっては、画像形成装置単体の設置が可能だが、製本装置を付加した場合には消費電力が供給可能電力量を超過してしまうこともあり得る。このような場合には、画像形成システムの導入を断念するか、あるいは、配電盤やコンセントの供給可能電力量を増加する工事を行って導入を可能にするか、いずれかの選択をユーザへ強いることになる。
【０００９】
一方、画像形成装置における商用電源から供給する電力を抑制する方法として、画像形成装置の定着手段を、商用電源からの電力で駆動する主ヒータと、内蔵する蓄電池から供給される直流電力により駆動する補助ヒータとにより加熱する方法（例えば特許文献３参照）が提案されているが、整流や充電のための回路手段や、蓄電池回路等を必要とし、構造の複雑化は避けられない。また、画像形成システムを構成する画像形成装置および製本装置に供給する電力を、双方のヒータの温度を監視しつつうまく配分して最大消費電力を抑えることも可能ではあるが、複雑な構成を必要とするので現実的ではない。簡単な構成で最大消費電力を抑制する画像形成システムはこれまで存在していなかった。
【００１０】
このように、従来の画像形成装置に加熱手段を有する製本装置を接続して画像形成システムとして使用したいとする要望があっても、使用可能な配電盤やコンセントの供給可能電力によっては要望を断念するか、どうしても使用したい場合には配電盤やコンセントの供給可能電力量を増加する工事を行うなど、ユーザへの制約、負担が多かった。
【特許文献１】特開２００３−２９１５５８号公報
【特許文献２】特開平９−３２３４８８号公報
【特許文献３】特開２０００−９８７９９号公報
【発明の開示】
【発明が解決しようとする課題】
【００１１】
特許文献１及び特許文献２に記載の後処理装置のウォームアップ時間を短縮するために、ヒータの容量を上げ、大きな電力を供給することが考えられるが、通常、装置が接続されている配電盤やコンセントには、供給電力の制限があり、おのずから供給できる電力の限度がある。特に、加熱による定着手段を有する画像形成装置に後処理装置が接続された場合、複数のヒータにウォームアップのための電力を同時に供給する必要があることから、各々のヒータに供給される電力が限られ、画像形成装置及び後処理装置からなる画像形成システム全体のウォームアップ時間はかえって長くなる可能性がある。
【００１２】
また、ユーザの使用環境によっては、ホットメルト接着剤によりシート束を綴じる後処理装置を常時使用する場合と、そうでない場合がある。後処理装置を常時使用する場合は、後処理装置のウォームアップが短時間で完了することが求められている一方、そうでない場合は、後処理装置を使用しない状況では最小限の電力消費に留められていることが要求されている。
【００１３】
本発明は上述したような状況に鑑みてなされたもので、その第１の課題は、電力制限のある状況で、画像形成装置のウォームアップを短時間に完了させることが可能な画像形成システム、画像形成装置、画像形成方法を提供することにある。また、本発明の第２の課題は、後処理装置の加熱部を長時間使用しない状況では後処理装置の加熱部で消費される電力を節約することが可能な画像形成システム、画像形成装置、画像形成方法をを提供することにある。
【００１４】
さらに、本発明の第３の課題は、画像形成装置と、加熱部を有する後処理装置とを有する画像形成システムにおける最大消費電力を簡単な構成で抑制することである。
【課題を解決するための手段】
【００１５】
上記課題は、特許請求の範囲に記載の以下の構成により達成される。
（請求項１）
画像形成装置で形成された記録媒体に対して後処理を行う後処理装置を備えた画像形成システムにおいて、
前記後処理装置は加熱部を有し、
前記画像形成システムは、
印刷ジョブを入力するジョブ入力部と、
前記印刷ジョブを判別する印刷ジョブ判別手段と、
前記印刷ジョブ判別手段で判別された判別結果に基づいて、前記加熱部の温度を制御する制御部と、
を有することを特徴とする画像形成システム。
（請求項２）
前記制御部は、前記判別結果に基づいて、前記加熱部の温度を上昇させることを特徴とする請求項１に記載の画像形成システム。
（請求項３）
前記印刷ジョブには、前記記録媒体に対する後処理情報が含まれており、
前記印刷ジョブ判別部は、前記印刷ジョブに含まれる後処理情報を判別し、
前記制御部は、前記印刷ジョブ判別部で前記印刷ジョブに後処理情報が含まれると判別された場合に、前記加熱部の温度を上昇させることを特徴とする請求項２に記載の画像形成システム。
（請求項４）
前記制御部は、前記印刷ジョブ判別部で判別された判別結果に基づいて、前記加熱部のウォームアップを開始することを特徴とする請求項２または請求項３に記載の画像形成システム。
（請求項５）
前記制御部による前記加熱部のウォームアップの開始は、前記加熱部に対する通電を遮断した状態から前記加熱部に対して通電する状態への移行であることを特徴とする請求項４に記載の画像形成システム。
（請求項６）
前記印刷ジョブには、前記記録媒体に対する後処理情報が含まれており、
前記制御部は、前記印刷ジョブ判別部で前記印刷ジョブに前記加熱部を使用する後処理情報が含まれると判別された場合に、前記加熱部の温度を上昇させることを特徴とする請求項４または請求項５に記載の画像形成システム。
（請求項７）
前記画像形成装置は、画像形成動作が可能なモードと前記画像形成が可能なモードよりも消費電力が低い低消費電力モードを有し、
前記制御部による前記加熱部のウォームアップは、前記低消費電力モードから前記画像形成動作が可能なモードへの移行であることを特徴とする請求項４に記載の画像形成システム。
（請求項８）
前記印刷ジョブには、前記記録媒体に対する後処理情報が含まれており、
前記印刷ジョブ判別部は、前記印刷ジョブに含まれる後処理情報を判別し、
前記制御部は、前記印刷ジョブ判別部で前記印刷ジョブに後処理情報が含まれると判別された場合に、前記加熱部の温度を第１の温度に制御し、前記印刷ジョブに後処理情報が含まれない場合に、前記加熱部を第２の温度に制御することを特徴とする請求項１に記載の画像形成システム。
（請求項９）
前記加熱部は、前記後処理装置で行う処理のための加工材を加熱するためのものであることを特徴とする請求項１〜８のいずれか１項に記載の画像形成システム。
（請求項１０）
前記加熱部は、前記後処理装置が記録媒体束を綴じるための接着剤を溶融させるものであることを特徴とする請求項９に記載の画像形成システム。
（請求項１１）
画像形成装置で形成された記録媒体に対して後処理を行う後処理装置を備えた画像形成システムにおいて、
前記後処理装置は加熱部を有し、
前記画像形成システムは、
第１のウォームアップ開始トリガを検知する第１トリガ検知部と、
第２のウォームアップ開始トリガを検知する第２トリガ検知部と、
前記加熱部のウォームアップを制御する制御部と、
第１のモード又は第２のモードを設定する設定部とを有し、
前記制御部は、前記設定部で第１のモードが設定された場合は、前記第１トリガ検知部による前記第１のウォームアップ開始トリガの検知に応じて前記加熱部のウォームアップを開始し、前記設定部で第２のモードが設定された場合は、前記第２トリガ検知部による前記第２のウォームアップ開始トリガの検知に応じて前記加熱部のウォームアップを開始することを特徴とする画像形成システム。
（請求項１２）
前記第１のウォームアップ開始トリガは、前記後処理装置への電源投入及び前記画像形成装置への電源投入から選ばれる少なくとも一方であり、
前記第２のウォームアップ開始トリガは、後処理設定情報であることを特徴とする請求項１１に記載の画像形成システム。
（請求項１３）
前記第２のウォームアップ開始トリガは、前記加熱部を使用することを示す後処理設定情報であることを特徴とする請求項１２に記載の画像形成システム。
（請求項１４）
前記制御部による前記加熱部のウォームアップの開始は、前記加熱部に対する通電を遮断した状態から前記加熱部に対して通電する状態への移行であることを特徴とする請求項１１〜１３のいずれか１項に記載の画像形成システム。
（請求項１５）
前記加熱部は、前記後処理装置で行う処理のための加工材を加熱するためのものであることを特徴とする請求項１１〜１４のいずれか１項に記載の画像形成システム。
（請求項１６）
前記加熱部は、前記後処理装置が記録媒体束を綴じるための接着剤を溶融させるものであることを特徴とする請求項１５に記載の画像形成システム。
（請求項１７）
前記画像形成装置は、画像形成動作が可能なモードと前記画像形成動作が可能なモードよりも消費電力が低い低消費電力モードを有し、
前記第１のウォームアップ開始トリガは、前記低消費電力モードから前記画像形成動作が可能なモードへの移行指示であり、前記第２のウォームアップ開始トリガは、後処理設定情報であることを特徴とする請求項１１に記載の画像形成システム。
（請求項１８）
前記第２のウォームアップ開始トリガは、前記加熱部を使用することを示す後処理設定情報であることを特徴とする請求項１７に記載の画像形成システム。
（請求項１９）
前記制御部は、前記設定部で第２のモードが設定された場合は、後処理設定情報の内容に応じて、前記加熱部のウォームアップを開始するか否かを決定することを特徴とする請求項１１に記載の画像形成システム。
（請求項２０）
前記画像形成装置がヒータを備えた定着部を有し、前記第１のウォームアップ開始トリガは、前記後処理装置への電源投入及び前記画像形成装置への電源投入から選ばれる少なくとも一方であり、前記第２のウォームアップ開始トリガは、前記定着部のウォームアップ完了であることを特徴とする請求項１１に記載の画像形成システム。
（請求項２１）
画像形成装置で形成された記録媒体に対して後処理を行う後処理装置を備えた画像形成システムにおいて、
前記画像形成装置は加熱部を有し、
前記後処理装置は加熱部を有し、
前記画像形成システムは、第１のウォームアップ開始トリガに応じて前記画像形成装置の加熱部及び前記後処理装置の加熱部のウォームアップを開始する第１のモードと、前記第１のウォームアップ開始トリガに応じて前記画像形成装置の加熱部及び前記後処理装置の加熱部のうちの前記画像形成装置の加熱部のみのウォームアップを開始する第２のモードとを有することを特徴とする画像形成システム。
（請求項２２）
画像形成装置で形成された記録媒体に対して後処理を行う後処理装置を備えた画像形成システムにおいて、
前記後処理装置のウォームアップを、前記画像形成装置のウォームアップ終了後に行うことを特徴とする画像形成システム。
（請求項２３）
前記画像形成装置のウォームアップ終了に応じて、前記後処理装置のウォームアップを開始することを特徴とする請求項２２に記載の画像形成システム。
（請求項２４）
後処理設定情報の内容に応じて、前記ウォームアップを開始することを特徴とする請求項２２に記載の画像形成システム。
（請求項２５）
前記後処理設定情報に前記加熱部を使用する後処理が含まれていることに応じて、前記後処理装置のウォームアップを開始することを特徴とする請求項２４に記載の画像形成システム。
（請求項２６）
前記ウォームアップは、前記後処理装置への電源投入及び前記画像形成装置への電源投入後に行われることを特徴とする請求項２２〜２５のいずれか１項に記載の画像形成システム。
（請求項２７）
前記画像形成装置は、画像形成動作が可能なモードと前記画像形成動作が可能なモードよりも消費電力が低い低消費電力モードを有し、
前記ウォームアップは、前記低消費電力モードから前記画像形成動作が可能なモードへの移行指示後に行われることを特徴とする請求項２２〜２５のいずれか１項に記載の画像形成システム。
（請求項２８）
前記加熱部は、前記後処理装置で行う処理のための加工材を加熱するためのものであることを特徴とする請求項２２〜２５のいずれか１項に記載の画像形成システム。
（請求項２９）
前記加熱部は、前記後処理装置が記録媒体束を綴じるための接着剤を溶融させるものであることを特徴とする請求項２８に記載の画像形成システム。
（請求項３０）
加熱部を有する後処理装置を接続可能であり、
加熱により記録媒体に画像を定着する定着手段を有する画像形成装置において、
前記画像形成装置は、前記後処理装置のウォームアップを該画像形成装置のウォームアップ終了後に行うように制御する制御部を有することを特徴とする画像形成装置。
（請求項３１）
加工材を加熱する加熱手段を有し、印刷ジョブに基づいて記録媒体に対して画像形成を行う画像形成手段と、印刷ジョブを記憶する印刷ジョブ記憶手段とを有する画像形成装置で画像形成された記録媒体に対して、前記加熱手段で加熱された加工材で後処理を行う画像形成システムの制御方法において、
前記印刷ジョブ記憶手段に記憶された印刷ジョブを判別する印刷ジョブ判別工程と、前記印刷ジョブ判別工程で判別された判別結果に基づいて、前記加熱手段の温度を制御する加熱温度制御工程とを含むことを特徴とする画像形成システムの制御方法。
【発明の効果】
【００１６】
請求項１の発明によれば、印刷ジョブ判別手段で判別された判別結果に基づいて、加熱部の温度を制御するので、印刷ジョブの判別結果に応じた加熱手段の温度制御が可能になり、省電力を図ることができる。
【００１７】
請求項２の発明によれば、印刷ジョブの内容に応じて加熱部の温度を上昇させるので、省電力を図ることができる。
【００１８】
請求項３の発明によれば、印刷ジョブに記録媒体に対する後処理情報が含まれているときに加熱部の温度を上昇させるので、後処理情報が含まれていないときには加熱部の温度を上昇させることがなく、省電力を図ることができる。
【００１９】
請求項４の発明によれば、印刷ジョブに記録媒体に対する後処理情報が含まれているときに加熱部のウォームアップを開始させるので、後処理情報が含まれていないときには加熱部のウォームアップを開始させることがなく、省電力を図ることができると共に、画像形成装置のウオームアップ時間を短縮できる。また、システムの最大消費電力を抑制出来る。
【００２０】
請求項５の発明によれば、ウォームアップの開始以前は加熱部への通電は遮断されているので、効果の大きい省電力が可能になると共に、画像形成装置のウオームアップ時間を短縮できる。また、システムの最大消費電力を抑制出来る。
【００２１】
請求項６の発明によれば、印刷ジョブ判別部で前記印刷ジョブに加熱部を使用する後処理情報が含まれると判別された場合に前記加熱部の温度を上昇させるるので、印刷ジョブに記録媒体に対して加熱部を使用する後処理情報が含まれていないときには加熱部のウォームアップを開始させることがなく、省電力を図ることができる。
【００２２】
請求項７の発明によれば、ウォームアップの開始以前は画像形成システムを構成する画像形成装置には画像形成が可能なモードよりも低い消費電力が供給されるので、省電力が可能になる。
【００２３】
請求項８の発明によれば、印刷ジョブに後処理情報が含まれる場合に、前記加熱部の温度を第１の温度に制御し、前記印刷ジョブに後処理情報が含まれない場合に、前記加熱部を第２の温度に制御することにより、後処理情報が含まれない場合には必要以上に加熱部を加熱することを抑制でき、消費電力の低減が可能になる。
【００２４】
請求項１１の発明によれば、画像形成装置および後処理装置の使用状況に応じたきめ細かなウォームアップ設定ができ、加熱部のウォームアップを必要な場合にのみ行うことが可能なので、消費電力の低減が可能になると共に、画像形成装置のウオームアップ時間を短縮できる。また、システムの最大消費電力を抑制出来る。
【００２５】
請求項１２の発明によれば、第１のモードにおける第１のウォームアップ開始トリガを後処理装置への電源投入及び画像形成装置への電源投入の少なくとも一方とすることにより、後処理装置のウォームアップを直ちに開始することができ、後処理装置のウォームアップ完了までに長時間を要することなく、後処理装置を頻繁に使用する環境において高い利便性を得られる。また、第２のモードにおける第２のウォームアップ開始トリガを後処理設定情報とすることにより、後処理装置のウォームアップを後処理設定情報を検知して開始するので、後処理設定情報を検知しない場合には後処理装置のウォームアップを開始することなく、省電力を図ることができると共に、画像形成装置のウオームアップ時間を短縮できる。また、システムの最大消費電力を抑制出来る。
【００２６】
請求項１３の発明によれば、第２のウォームアップ開始トリガを加熱部を使用することを示す後処理設定情報とすることにより、記録媒体に対して加熱部を使用しないときには加熱部のウォームアップを開始させることを抑制でき、省電力を図ることができると共に、画像形成装置のウオームアップ時間を短縮できる。また、システムの最大消費電力を抑制出来る。
【００２７】
請求項１４の発明によれば、ウォームアップの開始以前は加熱部への通電は遮断されているので、効果の大きい省電力が可能になる。
【００２８】
請求項１７の発明によれば、第１のウォームアップ開始トリガを、低消費電力モードから前記画像形成動作が可能なモードへの移行指示とすることにより、ウォームアップの開始以前は画像形成システムの消費電力を画像形成が可能なモードよりも低くできるので省電力が可能になり、また、第２のウォームアップ開始トリガを後処理設定情報として加熱部のウォームアップを開始することにより、後処理設定情報がないときには加熱部のウォームアップを開始させることを抑制できるので省電力が可能になると共に、画像形成装置のウオームアップ時間を短縮できる。また、システムの最大消費電力を抑制出来る。
【００２９】
請求項１８の発明によれば、第２のウォームアップ開始トリガを、加熱部を使用することを示す後処理設定情報とすることにより、加熱部を使用しないときには加熱部のウォームアップを開始させることを抑制できるので省電力が可能になると共に、画像形成装置のウオームアップ時間を短縮できる。また、システムの最大消費電力を抑制出来る。
【００３０】
請求項１９の発明によれば、第２のモードを設定したときに、加熱部のウォームアップを後処理設定情報の内容に応じて開始するので、後処理設定情報の内容によっては無用なウォームアップを行うことがなく、省電力が可能になると共に、画像形成装置のウオームアップ時間を短縮できる。また、システムの最大消費電力を抑制出来る。
【００３１】
請求項２０の発明によれば、第２のモードが設定された場合における第２のウォームアップ開始トリガを画像形成装置の定着部のウォームアップ完了とすることで、後処理装置のウォームアップを画像形成装置の定着部のウォームアップ完了するまで開始しないので、画像形成システムの最大消費電力を抑制できるとともに、画像形成装置のウォームアップに大電力を用いることができるので、画像形成装置のウォームアップを短時間で完了させることができる。
【００３２】
請求項２１の発明によれば、画像形成装置および後処理装置の使用状況に応じたきめ細かなウォームアップが可能であり、画像形成装置の加熱部のみのウォームアップを開始することにより、画像形成システムの最大消費電力を抑制できるとともに、画像形成装置のウォームアップに大電力を用いることができるので、画像形成装置のウォームアップを短時間で完了させることができる。
【００３３】
請求項２２及び２３の発明によれば、後処理装置のウォームアップを、前記画像形成装置のウォームアップ終了後に行うので、画像形成システムの最大消費電力を抑制できるとともに、画像形成装置のウォームアップに大電力を用いることができ、画像形成装置のウォームアップを短時間で完了させることができる。
【００３４】
請求項２４の発明によれば、後処理設定情報の内容に応じて、後処理装置のウォームアップを開始することにより、後処理設定情報の内容によっては後処理装置の加熱部の不要なウォームアップを開始しないので、省電力が可能になると共に、画像形成装置のウオームアップ時間を短縮できる。また、システムの最大消費電力を抑制出来る。
【００３５】
請求項２５の発明によれば、後処理設定情報に加熱部を使用する後処理が含まれていることに応じて後処理装置のウォームアップを開始することにより、後処理装置の加熱部を使用しないジョブでは後処理装置の加熱部のウォームアップを開始することを抑制でき、省電力が可能になると共に、画像形成装置のウオームアップ時間を短縮できる。また、システムの最大消費電力を抑制出来る。
【００３６】
請求項２６の発明によれば、ウォームアップが後処理装置への電源投入及び画像形成装置への電源投入後に行われることにより、電源投入後遅滞なくウォームアップを開始することが可能になる。
【００３７】
請求項２７の発明によれば、ウォームアップが、低消費電力モードから画像形成動作が可能なモードへの移行指示後に行われることにより、低消費電力モードから前記画像形成動作が可能なモードへの移行指示後、遅滞なくウォームアップを開始することが可能になると共に、画像形成装置を使用しないときの消費電力を低減することができる。
【００３８】
請求項３０の発明によれば、後処理装置のウォームアップを該画像形成装置のウォームアップ終了後に行うことにより、後処理装置と画像形成装置を接続してなる画像形成システムの最大消費電力を抑制できるとともに、画像形成装置のウォームアップに大電力を用いることができるので、画像形成装置のウォームアップを短時間で完了させることができる。
【００３９】
請求項３１の発明によれば、印刷ジョブ判別工程で判別された印刷ジョブの判別結果に基づいて、加熱温度制御工程にて加熱手段の温度を制御することにより、印刷ジョブの内容に応じた加熱手段の温度制御が可能になり、省電力が可能になる。
【発明を実施するための最良の形態】
【００４０】
本発明を適用する画像形成システムについて、構成と作用を図面に基づいて説明する。本実施例は、画像形成装置に、後処理装置として加熱手段により接着剤を加熱、溶融させてシート束を製本する製本装置を接続した画像形成システムである。
【００４１】
図１は、画像形成装置と製本装置からなる画像形成システムを示す概念図である。画像形成装置Ａは、公知の電子写真技術により画像形成をするデジタル式の複写機であり、製本装置Ｂが接続されている。
【００４２】
画像形成装置Ａは、自動原稿送り装置１、読み取り手段２、書き込み手段３、画像形成手段４、定着手段５、反転排紙手段６、再給紙手段７、シート搬送手段８、給紙手段９、制御手段Ｃ１、操作表示手段６０等を有する。
【００４３】
自動原稿送り装置１は、原稿載置台１０の上に載置された原稿Ｄを１枚ずつ原稿搬送路１１に送り出し、原稿排紙台１２に排紙する。搬送中の原稿Ｄの画像面は、原稿読み取り位置１３にて読み取り手段２にて読み取りがなされる。原稿Ｄの両面の画像を読み取る場合には、第１面の読み取りがなされた原稿Ｄを反転手段１４により反転して、再度、原稿搬送路１１に送り出し、第２面の読み取りを行い、原稿排紙台１２に排紙する。
【００４４】
読み取り手段２は、光源２１、第１ミラーユニット２２、第２ミラーユニット２３、結像レンズ２４、ＣＣＤ２５等からなり、画像読み取り位置１３を走行する原稿Ｄの画像を走査して、その画像をＣＣＤ２５に結像させて、光学的情報である原稿画像情報を電気的情報に変換する。変換された原稿画像情報は、Ａ／Ｄ変換、シェーディング補正、圧縮等の処理が施され、制御手段Ｃ１のメモリＭ１に保存される。書き込み手段３は、レーザ光源、シリンドリカルレンズ、Ｆθレンズ、ミラー、ポリゴン等で構成される走査光学系で、前記メモリＭ１から読み出された画像情報に対応して変化するレーザビームにて、画像形成手段４の感光体４１の表面を走査して、前記感光体４１の表面に潜像を形成する。
【００４５】
画像形成手段４は、感光体４１の表面に形成された潜像を、現像手段４２にて現像処理を行いトナー画像として顕像化するものである。前記トナー画像は、転写手段４３によりレジストローラ８１により送り出されたシートＰに転写される。トナー画像の転写を終えた感光体表面は、クリーニング手段４４により、残留トナーが除去されて、帯電手段４５により電荷が付与されて、次の潜像形成に供される。
【００４６】
定着手段５は、対向して配設された、熱ローラ５１と、加圧ローラ５２とによりトナー画像を担持したシートＰを加熱加圧することにより、トナー画像をシートＰに定着する。熱ローラ５１は非図示のヒータにより加熱され、熱ローラ５１の温度は温度検知手段ＴＳ４で検知される。ヒータによる熱ローラ５１は温度検知手段ＴＳ４の検知結果に基づき制御手段によりの加熱、あるいは保温の制御がなされる。
【００４７】
画像定着を終えたシートＰは、排紙ローラ５５により、製本装置Ｂに送られる。シートＰを反転させて排紙する場合には、排紙ガイド５７によりシートＰを下方に導き、反転手段の反転ローラ６１に前記シートＰの後端を挟持させ、反転して排紙ローラ５５に送り出す。シートＰの両面に画像形成を行う場合には、排紙ガイド５７と複数のローラによりシートＰを再給紙手段７に送り、再給紙手段７の反転ローラ７１によりシートＰを反転して、再度、シート搬送手段８に送り出す。
【００４８】
シート搬送手段８は、複数のローラと、ガイド部材とからなるシートの搬送路で、給紙手段９から送り出されたシートＰを搬送して、シートＰの先端をレジストローラ８１に突き当てた後、トナー画像を受容するために感光体４１に向けて送り出す。
【００４９】
給紙手段９は、小容量のトレイを有する第１給紙手段９１、大容量のトレイを有する第２給紙手段９２、第３給紙手段９３から構成される。前記各給紙手段は、各々のトレイに載置されたシートＰを１枚ずつシート搬送手段８に送り出す送り出しローラを有している。
【００５０】
操作表示手段６０は、画像形成装置Ａの本体上面に設けられたタッチパネルで、表示と入力の両方の機能を有し、コピー枚数の設定をはじめ製本作業をするか否かの設定等の制御手段Ｃ１への指示操作を行うために用いられる。また、入力されたジョブ情報や、画像形成装置Ａおよび製本装置Ｂの作動状況や必要な警告等を表示する機能を有する。
【００５１】
製本装置Ｂは、搬送手段１００、シート整合手段、製本手段３００、制御手段Ｃ２、操作表示手段５００等を有し、画像形成装置Ａより排出された画像形成がなされた記録媒体であるシートＰに、画像形成装置Ａから伝達された指示情報に基づ駆後処理を行う。
【００５２】
操作表示手段５００は、製本装置Ｂの本体上面に設けられたタッチパネルで、表示と入力の両方の機能を有し、後処理機能の設定や指示操作を行うために用いられる。また、後述するウオームアップの条件の設定や指示操作を行うために用いられる。
【００５３】
画像形成装置Ａにより画像形成がなされ製本装置Ｂに送り出されたシートＰは、操作手段６０により製本作業を施さないモードが選択されていた場合には、振り分けガイド１０１により上方に進むように導かれ排紙台１０２に排紙される。
【００５４】
製本作業を施すモードが選択されていた場合には、シート整合手段２００に順次送られ１部を構成する頁数のシートＰが積載される。また、シート載置手段９１０、９２０に表紙、あるいは頁間に挿入するためのシートを載置して、載置したシートが所定の頁位置に入るように搬送手段１００によりシート整合手段２００に送り出すこともできる。
【００５５】
シート整合手段２００は、シート載置台２０１、先端規制板２０２、シート圧着部材２０３、２０４、シート幅規制板（不図示）等から構成されている。シート載置台２０１に積載されたシートＰは先端部が先端規制板２０２により、両側がシート幅規制板により規制され、整合されたシート束となる。
【００５６】
シート載置台２０１への最終頁の載置が終了すると、圧着部材２０３、２０４が積載されたシートＰであるシート束の先端部を上面と下面とから押圧して、積載されたシートの整合が崩れないように挟持する。圧着部材２０３、２０４による挟持が完了すると、先端規制板２０２が矢印ｂの方向に移動して、シート束の先端面が、綴じテープＴＴを挟んで製本手段３００に直面する。
【００５７】
図２は、製本装置Ｂの製本手段３００の近傍を模式的に示す図である。
【００５８】
製本手段３００は、ホットメルトタイプの接着剤が塗布された綴じテープＴＴと、前記綴じテープＴＴを所定の長さにカットして、テープ元巻き部（不図示）から主加熱手段３１０に送り出す綴じテープ送り手段（不図示）、綴じテープＴＴを背面から整合されたシート束の先端面に加熱しながら押圧する主加熱手段３１０、前記綴じテープＴＴの両側面をシート束の最上面と最下面とに加熱しながら押圧する側面加熱手段（ｂ）３２０、側面加熱手段（ｃ）３３０を有している。
【００５９】
主加熱手段３１０は、加熱部材（ａ）３１１とヒータ（ａ）３１２、温度検知手段（ａ）ＴＳ１を有し、加熱部材（ａ）３１１は温度検知手段（ａ）ＴＳ１と制御手段Ｃ２とにより所定の温度を維持するように制御されている。同様に、側面加熱手段（ｂ）３２０には加熱部材（ｂ）３２１、ヒータ（ｂ）３２２、温度検知手段（ｂ）ＴＳ２を、側面加熱手段（ｃ）３３０には加熱部材（ｃ）３３１、ヒータ（ｃ）３３２、温度検知手段（ｃ）ＴＳ３を有している。
【００６０】
シート載置台２０１への最終頁の載置が終了し、圧着部材２０３、２０４がシート束の整合が崩れないように挟持し、先端規制板２０２が移動して、シート束の先端面が、綴じテープＴＴを挟んで製本手段３００に直面すると、主加熱手段３１０は、加熱手段移動手段（不図示）により矢印ａの方向に移動して、綴じテープＴＴを前記シート束の先端面に押しつける。この動作により、綴じテープＴＴの接着剤は溶融して、シート束の先端面に移行する。
【００６１】
綴じテープ側面ガイド３２４、３３４は矢印ｄ１、ｄ２のように移動して、綴じテープＴＴの側面をシート束の最上面と、最下面に向けて折り曲げる。綴じテープ側面ガイド３２４、３３４の移動が終了すると、側面加熱手段（ｂ）３２０、側面加熱手段（ｃ）３３０が矢印ｆ１、ｆ２の方向に移動して、折り曲げられた綴じテープＴＴの両側面を、シート束の最上面と最下面に加熱しながら押圧し、綴じテープＴＴによりシート束をバインドする。綴じテープＴＴの接着剤は加熱により溶融して、シート束の側面部面に移行する。予め設定された押圧時間が経過すると、主加熱手段３１０、側面加熱手段（ｂ）３２０、側面加熱手段（ｃ）３３０は元の位置に復帰して、シート束から離れる。これにより、綴じテープＴＴの溶融した接着剤は温度が急激に降下することにより硬化して、シート束は先端面にて硬化した接着剤にて綴じられる。
【００６２】
シート整合手段２００は、綴じられたシート束の先端部を圧着部材２０３、２０４で保持したままの状態で図１の点線位置に移動する。その後、圧着部材２０３、２０４の圧着を解除して、載置台２０１に設けられたローラ２０５を回転させることにより、シート束載置台４００に送り出す。
【００６３】
＜発明の第１実施形態＞  第１実施形態では、画像形成システムにおける製本装置のウォームアップを、画像形成装置のウォームアップ終了後に行うように制御される。
【００６４】
図３は、本実施の形態における画像形成装置Ａと製本装置Ｂの制御関係を示すブロック図である。なお、本図の説明は、本発明の実施の形態に直接係わらない箇所は省略されている。
【００６５】
画像形成装置の制御手段Ｃ１は、ＣＰＵ、演算ユニット、メモリＭ１、入出力Ｉ／Ｆ、通信手段、駆動回路等から構成されるコンピュータシステムである。各手段の制御は、予めメモリＭ１に格納してあるプログラムを実行させることによりなされる。
【００６６】
画像形成装置の定着手段５は、制御手段Ｃ１により通電を制御されるヒータにより加熱される熱ローラ５１と熱ローラ５１の温度を検知する温度検知手段ＴＳ４を有している。温度検知手段ＴＳ４で検知された熱ローラ５１の温度情報は制御手段Ｃ１に伝達される。
【００６７】
なお、以下の例では、画像形成システムのウォームアップの例として、電源投入に応じて画像形成装置の定着手段のヒータ、および、製本装置の加熱手段のヒータの温度を所定温度まで到達させる動作を説明するが、これに限らず、パワーセーブモードやスリープモードによる省エネモードモードから起動されて画像形成装置の定着手段のヒータの、および、製本装置の加熱手段のヒータの温度を所定温度まで到達させる動作であっても良い。なお、省エネモードからの起動は、画像形成装置の操作表示手段６０の操作やジョブの入力等がトリガとなる。
【００６８】
制御手段Ｃ１は、伝達された熱ローラ５１の温度情報データを、メモリＭ１に格納されている熱ローラ５１の温度の所定の温度値（閾値）と比較し、閾値に満たない場合は熱ローラ５１が所定の温度に到達していないと判断し、所定の温度に到達するまで熱ローラ５１のヒータに電力を供給するように制御し、熱ローラ５１が所定の温度に到達するまでは製本装置のウォームアップ開始を禁止する。
【００６９】
熱ローラ５１の温度情報データ閾値に等しいか、閾値を越える場合は熱ローラ５１が所定の温度に到達していると判断し定着装置５のウォームアップを終了させ、熱ローラ５１のヒータへの通電を保温のための小電力量の通電に切り替える。また、製本装置のウォームアップ開始の禁止を解除する。
【００７０】
ユーザにより電源投入がなされると、制御手段Ｃ１は定着手段のヒータへの電力供給を指令するとともに、製本装置のウォームアップを禁止する製本装置ウォームアップ禁止指令を発する。また、制御手段Ｃ１はウォームアップ実行中に入力されるジョブの動作を禁じ、操作表示手段６０にウォームアップ中であることを示すメッセージの表示を指示する。制御手段Ｃ１からの指示を受けて、熱ローラ５１のヒータへの電力供給が開始され、表示操作部６０に、例えば「ウォームアップ中です  しばらくお待ち下さい」というようなメッセージが表示される。この状態では画像形成装置はユーザがコピーを行おうとしても動作しない。
【００７１】
画像形成装置のウォームアップ中に制御手段Ｃ１は、温度検知手段ＴＳ４により検知、伝達された画像形成装置の熱ローラ５１の温度情報により以下の動作を行う。
（１）熱ローラ５１の温度が所定の値（閾値）より低いときには、ウォームアップを継続し、熱ローラ５１の温度の判定を繰り返す。
（２）熱ローラ５１の温度が所定の値に到達したとき、あるいは、すでに所定の値に到達しているときは、定着手段５のウォームアップを終了させるとともに、製本装置ウォームアップ禁止指令の発信を停止する。
【００７２】
製本装置Ｂの制御手段Ｃ２も制御手段Ｃ１に比較して規模は小さいが同様の構成であり、制御手段Ｃ１と通信手段を介して情報の授受を行ない、画像形成装置Ａから伝達されるジョブ情報、制御情報により製本装置Ｂの動作を制御する。製本装置Ｂのウオームアップに関しては、制御手段Ｃ１から製本装置ウォームアップ禁止指令が発信されているか否かを参照して製本装置のウォームアップを行うように制御する。
【００７３】
製本手段３００の主加熱手段３１０は、制御手段Ｃ２により制御されるヒータ（ａ）３１２により加熱され、その温度を温度検知手段（ａ）ＴＳ１で検知される。同様に、側面加熱手段（ｂ）３２０、側面加熱手段（ｃ）３３０は、それぞれヒータ（ｂ）３２２、ヒータ（ｃ）３３２により加熱され、それぞれの温度を温度検知手段（ｂ）ＴＳ２、温度検知手段（ｃ）ＴＳ３により検知される。
【００７４】
温度検知手段（ａ）ＴＳ１、温度検知手段（ｂ）ＴＳ２、温度検知手段（ｃ）ＴＳ３により検知された温度情報は、製本装置の制御手段Ｃ２に伝達される。これらヒータへの通電は、制御手段Ｃ２により制御される。
【００７５】
図４は発明の第１実施形態における、製本装置のウォームアップ温度制御を示すフローチャートであり、図４に示すごとく、制御手段Ｃ２は、各温度検知手段により検知、伝達された各温度情報データを、メモリＭ２に格納されているそれぞれの閾値と比較し、伝達された各温度が閾値に満たない場合は主加熱手段３１０、側面加熱手段（ｂ）３２０、側面加熱手段（ｃ）３３０が所定の温度に到達していないと判断し、閾値に等しいか、閾値を越える場合は主加熱手段３１０、側面加熱手段（ｂ）３２０、側面加熱手段（ｃ）３３０が所定の温度に到達していると判断する。
【００７６】
主加熱手段３１０、側面加熱手段（ｂ）３２０、側面加熱手段（ｃ）３３０が所定の温度に到達していないときには、制御手段Ｃ２はウォームアップ禁止指令の有無を参照し、ウォームアップ禁止指令の発信が停止されているときには、主加熱手段３１０、側面加熱手段（ｂ）３２０、側面加熱手段（ｃ）３３０が所定の温度に到達するまでヒータ（ａ）３１２、ヒータ（ｂ）３２２、ヒータ（ｃ）３３２に電力を供給するように制御し、ウォームアップを行う。各加熱手段の温度が所定の値に到達したとき、あるいは、所定の値に到達しているときには、製本手段のウォームアップを終了させ、製本手段のウォームアップを終了したとする製本手段ウォームアップ終了情報を制御手段Ｃ１に送る。
【００７７】
制御手段Ｃ１は、製本手段ウォームアップ終了情報を受けると、すべてのジョブの入力を許可し、表示操作部６０に、例えば「コピーできます」というようなメッセージを表示させる。この状態で画像形成システムはすべてのジョブの入力が可能になり、また、入力されたジョブによる動作を可能にする。
【００７８】
図５（ａ）は、本発明の第１実施形態によるウォームアップの制御の流れを示すフローチャートである。以下図５（ａ）によりウォームアップの制御の流れを説明する。
【００７９】
先ず、ステップＳ１にて画像形成システムの電源が投入されるとステップＳ２に移行する。
【００８０】
ステップＳ２では、制御手段Ｃ１の指示により画像形成装置のウォームアップが開始される。制御手段Ｃ１はすべてのジョブ入力を禁止し、操作表示手段６０に例えば「ウォームアップ中です  しばらくお待ち下さい」と表示させる。また、このときには、製本装置ウォームアップ禁止指令が発信され、製本装置のウォームアップは禁止されるので、定着手段の熱ローラ５１のヒータのみに通電され、製本手段の各ヒータには通電されないので、画像形成システムは少ない消費電力にてウォームアップがなされる。
【００８１】
次いで、制御手段Ｃ１は、温度検知手段ＴＳ４により得られた定着手段５の熱ローラ５１の温度の情報を所定の値と比較して、定着手段５のウォームアップが完了しているか否かを判断する。（ステップＳ３）
温度検知手段ＴＳ４の情報が所定の値を越えていないとき（ステップＳ３：Ｎｏ）はウォームアップが完了していないと判断し、定着手段５のウォームアップを続行し、ウォームアップが完了か否かの判定をくりかえす。
【００８２】
温度検知手段ＴＳ４の情報が所定の値を越えるとき（ステップＳ３：Ｙｅｓ）は、定着手段５のウォームアップが完了しているので、定着手段５のウォームアップを終了させるとともに、製本装置ウォームアップ禁止指令の発信を停止する。（ステップＳ４）
制御手段Ｃ２は制御手段Ｃ１からの製本装置ウォームアップ禁止指令の発信の停止を受けて製本装置Ｂのウォームアップを開始する。（ステップＳ５）この状態では製本手段の各ヒータに主として通電され、定着手段５には保温のための小電力量での通電がなされだけなので、画像形成システムは少ない消費電力でウォームアップがなされる。
【００８３】
製本装置Ｂの製本手段３００の温度を検知する温度検知手段（ａ）ＴＳ１、温度検知手段（ｂ）ＴＳ２、温度検知手段（ｃ）ＴＳ３からの情報により製本手段３００のウォームアップが完了しているか否かを検知する。（ステップＳ６）
温度検知手段（ａ）ＴＳ１、温度検知手段（ｂ）ＴＳ２、温度検知手段（ｃ）ＴＳ３の情報が所定の値を越えていないとき（ステップＳ６：Ｎｏ）は、ウォームアップが完了していないと判断し、製本手段３００のウォームアップを続行し、ウォームアップが完了か否かの判定をくりかえす。
【００８４】
温度検知手段（ａ）ＴＳ１、温度検知手段（ｂ）ＴＳ２、温度検知手段（ｃ）ＴＳ３の情報が所定の値を越えるとき（ステップＳ６：Ｙｅｓ）は、製本手段のウォームアップが完了しているので、製本手段３００のウォームアップを終了させ、製本手段３００のウォームアップが完了したことを示す製本手段ウォームアップ完了情報を制御手段Ｃ１に伝達する。また、制御手段Ｃ１は、製本手段ウォームアップ完了情報を受けて、すべてのモードのジョブの受付を許可するとともに、操作表示手段６０に例えば「コピーできます」と表示させる（ステップＳ７）。
【００８５】
「第１実施形態のウォームアップ制御の変形例」  前記第１の実施形態においては、定着手段５のウォームアップ終了とともに製本装置ウォームアップ禁止指令の発信を停止し、製本装置Ｂのウォームアップを開始するが、定着手段５のウォームアップ終了をもって製本装置Ｂのウォームアップを開始するのではなく、前記第１実施形態の変形例として、図５（ｂ）に示すように、定着手段５のウォームアップ終了後、ジョブ入力により製本機能が選択されていると判断された時点で、製本装置Ｂのウォームアップを開始させることもできる。本変形例ではモードの設定は行わないが、それ以外の動作は後述の第２実施形態においてモード２が選択された場合とほぼ同様であるので、ここでは説明を省略する。
【００８６】
以上説明したように、加熱によりシートに画像を定着する定着手段を有する画像形成装置に、接着剤を溶融させる加熱手段を有する製本手段を有する製本装置を接続した画像形成システムにおいて、電源投入時には画像形成装置のみのウォームアップを行い、製本装置のウォームアップは画像形成装置のウォームアップが終了した後に行うように制御手段により制御することにより、簡単な構成で画像形成システムの最大消費電力を抑制できる。
【００８７】
なお、本発明の画像形成システムにおける製本装置として綴じテープを使用する製本装置を例示したが、本発明はこれに限定されるものではなく、加熱装置を有する各種製本装置と画像形成装置との組み合わせによる画像形成システムに適用可能である。
【００８８】
＜発明の第２実施形態＞  第２実施形態では、第１のウォームアップ開始トリガを検知する第１トリガ検知部と、第２のウォームアップ開始トリガを検知する第２トリガ検知部と、前記加熱手段のウォームアップを制御するウォームアップ制御手段と、第１のモード又は第２のモードを設定する設定手段とを有し、設定手段で第１のモードが設定された場合は、前記第１のトリガ検知手段で第１のウォームアップ開始トリガを検知したときに前記加熱手段のウォームアップを開始し、前記設定手段で第２のモードが設定された場合は、前記第２のトリガ検知手段が前記第２のウォームアップ開始トリガを検知したとき前記加熱手段のウォームアップを開始する。すなわち、設定手段にて設定された第１のモード又は第２のモードに応じてウォームアップが制御される。
【００８９】
図６は、第２実施形態における画像形成装置Ａと製本装置Ｂからなる画像形成システムの制御関係を示すブロック図である。
【００９０】
第２実施形態では、制御手段Ｃ２は、第１のトリガ検知手段としての電源投入検知手段Ｃ２２、第２のトリガ検知手段としての製本ジョブ検知手段Ｃ２３、ウォームアップ制御手段Ｃ２４の機能を有する。
【００９１】
電源投入検知手段Ｃ２２は、画像形成装置Ａの操作表示手段６０や図示しない電源スイッチにより電源が投入されたことを直接に検知又は電源が投入されたことを検知した制御手段Ｃ１から出力される信号を検知するようにして、製本装置Ｂの電源が投入されたことを検知する。
【００９２】
製本ジョブ検知手段Ｃ２３は、画像形成装置Ａの操作表示手段６０から送信され、メモリＭ２に記憶された製本作業を施す設定の情報を検知する。また、画像形成装置Ａが図示しないコンピュータから送信された印刷ジョブに基づいて画像形成を行う場合、メモリＭ１に記憶される印刷ジョブに含まれる製本作業を施す設定の情報を検知した制御手段Ｃ１から送信され、メモリＭ２に記憶された製本作業を施す設定の情報を検知する。
【００９３】
ウォームアップ制御手段Ｃ２４は、温度検知手段ＴＳ１、ＴＳ２で検知した温度に基づいて製本装置Ｂの主加熱ユニット３１０のヒータ３１２及び側面加熱ユニット３２０，３３０のヒータ３２２を制御することで、主加熱ユニット３１０及び側面加熱ユニット３２０、３３０を所定の温度にまで上昇するように制御する。
【００９４】
ウォームアップモードの設定について説明する。
【００９５】
製本装置Ｂはウォームアップモードを２つのモードから選択可能となっている。一方は、製本装置Ｂの電源投入と同時にウォームアップを開始し主加熱ユニット３１０及び側面加熱ユニット３２０、３３０を常時製本に対応できる所定の温度に維持しておくモード（モード１と呼ぶ）で、他方は、ジョブに製本機能が設定されている場合に後処理装置のウォームアップを開始するモード（モード２と呼ぶ）である。
【００９６】
図７は本実施例の製本装置Ｂのウォームアップモード設定の流れを示すフローチャートである。
【００９７】
ステップＳ４１ではウォームアップモードの選択が行われる。ウォームアップモードは、製本装置Ｂの電源が投入された後、後述されるように、製本装置Ｂの操作表示手段５００を用いて選択、設定される。
【００９８】
ステップＳ４２では選択されたモードがメモリＭ２の所定の領域に記憶され、処理が終了される。
【００９９】
ウォームアップモード設定の手順を図８（ａ）、図８（ｂ）を用いて説明する。図８（ａ）、図８（ｂ）は発明の第２実施形態における、メニュー画面例と、モード設定画面例である。
【０１００】
製本装置Ｂの電源が投入された直後は、製本装置Ｂの操作表示手段５００には、図８（ａ）に示したようなメニュー画面９８ａが表示されており、メニュー画面９８ａには各種の入力ボタン１１０〜１１９が表示されている。
【０１０１】
テープバインダー設定ボタン１１９を押すと、操作表示手段５００には図８（ｂ）に示した設定画面９８ｂに変化する。
【０１０２】
設定画面９８ｂの入力ボタン１２０はモード１を選択するためのボタン、入力ボタン１２１はモード２を選択するためのボタン、入力ボタン１２２はモード選択を無効にするためのボタン、入力ボタン１２３はモード選択を確定させるボタンである。
【０１０３】
すなわち、設定画面９８ｂが表示された状態で、入力ボタン１２０又は１２１が押され後、入力ボタン１２３が押されるとモード選択が確定し、表示はメニュー画面９８ａの状態になる。入力ボタン１２０又は１２１が押された後、入力ボタン１２２が押されると、モード選択は行われず表示はメニュー画面９８ａの状態となる。
【０１０４】
なお、ウォームアップモードは、製本装置Ｂの電源投入直後の初期状態ではモード１が選択されている。
【０１０５】
製本装置Ｂの動作を図９及び図１０を用いて説明する。
【０１０６】
図９（ａ）は製本装置Ｂの動作の流れを示すフローチャートである。
【０１０７】
ステップＳ２１では、図７で説明した処理で設定されたウォームアップモードが判断される。メモリＭ２の所定の領域に記憶されたモードの情報を参照して、モード１であれば（ステップＳ２１；Ｙｅｓ）、ステップＳ２３の処理が実行され、モード１でない、つまりモード２であれば（ステップＳ２１；Ｎｏ）ステップＳ２２の処理が実行される。
【０１０８】
ステップＳ２２では、製本機能が設定されているかどうかを判断する。メモリＭ２の所定の領域に記憶された製本作業を施す設定の情報を参照して、製本機能が設定されていれば（ステップＳ２２；Ｙｅｓ）、ステップＳ２３の処理が実行され、設定されていなければ（ステップＳ２２；Ｎｏ）、ステップＳ２４の処理が実行される。
【０１０９】
ステップＳ２３では、ヒータ３１２、３２２、３３２の加熱動作が開始される。
【０１１０】
ステップＳ２４では、ヒータ３１２、３２２、３３２の加熱動作が停止される。
【０１１１】
ステップＳ２５では、主加熱ユニット３１０、及び側面加熱ユニット３２０、３３０の加熱温度が製本可能な温度になっているかどうかが判断される。判断は、主加熱ユニット３１０の温度検知手段ＴＳ１、及び側面加熱ユニット３２０、３３０の温度検知手段ＴＳ２、ＴＳ３の温度を参照することにより行われる。主加熱ユニット３１０、及び側面加熱ユニット３２０、３３０の温度が製本可能温度に達している場合、ステップＳ２７を実行し、達していない場合ステップＳ２６を実行する。
【０１１２】
ステップＳ２６では、画像形成装置Ａへ製本機能が準備中であることを不図示の通信手段を用いて通達する。
【０１１３】
ステップＳ２７では、画像形成装置Ａへ製本機能が使用可能であることを不図示の通信手段を用いて通達する。
【０１１４】
ステップＳ２８では、製本機能が設定されているのかどうかを判断する。判断はメモリＭ２の所定の領域の情報を参照して行う。製本機能が設定されていると判断されると（ステップＳ２８；Ｙｅｓ）、ステップＳ２９が実行され、製本機能が設定されていると判断されないと（ステップＳ２８；Ｎｏ）、ステップＳ２１が実行される。
【０１１５】
ステップＳ２９では、製本処理が行われる。
【０１１６】
次に、第２実施形態の画像形成システムの消費電力の時間変化について図１０を用いて説明する。
【０１１７】
図１０（ａ）及び図１０（ｂ）は、縦軸に消費電力をとり横軸に時間をとった、消費電力と時間の関係を示す図であり、図１０（ａ）はモード１の場合のグラフ、図１０（ｂ）はモード２の場合のグラフである。なお、図１０（ａ）、図１０（ｂ）では説明を簡単にするため、ウォームアップに直接係わるヒータの消費電力のみ示してある。ＰMは電源に許容される最大電力であり、Ｐ1は本実施例の画像形成システムのウォームアップに使用する電力である。Ｐ1はＰMに対して適当な余裕を持たせてある。Ｐ2は画像形成装置Ａ及び製本装置Ｂのウォームアップが終わり、画像形成システムが使用可能状態になったときの待機電力である。Ｐ3は画像形成システムのうちの、画像形成装置Ａのみのウォームアップが完了し、製本装置Ｂの主加熱ユニット３１０及び側面加熱ユニット３２０、３３０には通電していないときの画像形成システムの待機電力である。Ｃの領域は、画像形成装置Ａの消費電力を示し、Ｄの領域は製本装置Ｂの消費電力を示す。
【０１１８】
図１０（ａ）を参照して（モード１）、時間０は、図９のフローチャートで製本装置Ｂの電源が投入され、ステップＳ２１でＹＥＳへ分岐しステップＳ２３の処理が実行されるタイミングである。このときウォームアップモードはモード１であるため、画像形成装置Ａ及び製本装置Ｂが同時にウォームアップを開始する。このとき、できるだけ短時間でウォームアップが完了するように電源容量ＰMに近いＰ1の消費電力が使用される。ｔ１はウォームアップが終了するタイミングである。これ以降の消費電力はＰ2に減少する。
【０１１９】
図１０（ｂ）を参照して（モード２）、時間０は図９のフローチャートで製本装置Ｂの電源が投入されたタイミングである。このとき製本装置ＢはフローチャートのステップＳ２１でＮＯへ分岐し、ステップＳ２２でＮＯへ分岐し、ステップＳ２４の処理を実行し、ステップＳ２１へ戻るループを回っている。時間０からｔ２までの間は画像形成装置Ａのウォームアップ期間であり、できるだけ短時間でウォームアップが完了するように電源容量ＰMに近い消費電力Ｐ1でウォームアップを行っている。ｔ２では画像形成装置Ａのウォームアップが完了し、消費電力は画像形成装置Ａの待機電力Ｐ3まで減少している。
【０１２０】
ｔ３は図９のフローチャートではステップＳ２２で製本機能設定が有りと判断されＹＥＳへ分岐して、ステップＳ２３の処理が実行されたタイミングである。このタイミングで製本装置Ｂの主加熱ユニット３１０のヒータ３１２、及び側面加熱ユニット３２０、３３０のヒータ３２２に電力が投入されウォームアップが開始される。なお、ウォームアップはできるだけ短時間で完了するように電源容量ＰMに近いＰ1の電力が投入されている。
【０１２１】
ｔ４は製本装置Ｂのウォームアップが完了するタイミングで、消費電力は画像形成システムの待機電力Ｐ2に減少している。
【０１２２】
上述したように、ウォームアップのモードとしてモード２が選ばれた場合、電源投入直後では、画像形成装置Ａのウォームアップのみ行われるので、画像形成装置Ａのウォームアップにはモード１に比べて大きな電力を投入することが可能となり、モード１に比べより短時間でウォームアップが完了する。
【０１２３】
また待機電力を比較するとモード１ではＰ2の電力が消費されているが、モード２では製本機能が選択されるまでは待機電力はＰ3であるので、モード１に比べ少ない電力で待機することができる。
【０１２４】
モード２で製本機能が選択されたときには、すでに画像形成装置Ａのウォームアップは完了しており、使用可能な電力を製本装置Ｂのウォームアップのみに投入できるので、比較的短時間でウォームアップを完了させることができ、作業者の感じるストレスは少なくて済む。
【０１２５】
ところで、製本機能の実行後、次の製本機能の実行までの待機中は、製本装置の加熱手段をスリープモードの省エネモードとして、電力を低く抑えることが望ましい。図１１に、このスリープモードのフローチャートを示す。
【０１２６】
システム電源が投入されると（ステップＳ３１）、製本装置加熱モードの設定確認を行い（ステップＳ３２）、製本装置の初期動作（ステップＳ３３）を実行後、製本装置加熱制御ルーチン（ステップＳ３４）に入る。製本装置加熱制御ルーチンは図１５に示すフローチャートに示される流れであり、詳細は後述する。
【０１２７】
製本装置加熱制御ルーチンを実行しメインルーチンに戻ると、ステップＳ３５で製本を開始するか否かを判断し、製本を開始する場合（ステップＳ３５：Ｙｅｓ）には製本処理を実行し（ステップＳ３６）、製本処理を終了後、製本装置加熱制御ルーチン（ステップＳ３４）に戻る。ステップＳ３５で製本を開始しないと判断される（ステップＳ３５：Ｎｏ）と、スリープモードに設定されているか否かを判断し（ステップＳ３７）、スリープモードに設定されていれば（ステップＳ３７：Ｙｅｓ）、製本装置加熱手段の動作を停止し、スリープモードを実行（ステップＳ３８）した後、スリープモードが解除されているか否かを判断し（ステップＳ３９）、解除されていれば（ステップＳ３９：Ｙｅｓ）、前記ステップＳ３３に戻り、製本装置初期動作を行ってステップＳ３４に移行し、製本装置加熱制御ルーチンを実行する。また、ステップＳ３９で、スリープモードが解除されていないと判断されれば（ステップＳ３９：Ｎｏ）、スリープモードを維持する。ステップＳ３９で、スリープモードが解除されていると判断されれば（ステップＳ３７：Ｙｅｓ）、ステップＳ３４に戻り、製本装置加熱制御ルーチンを実行する。
【０１２８】
「第２実施形態のウォームアップ制御の変形例」  前記第２実施形態においては、モード２では、後処理情報を第２のウォームアップ開始トリガとした。すなわち、待機ジョブに製本機能が設定されている場合に後処理装置のウォームアップを開始することとしたが、第２実施形態の変形例として、画像形成装置の定着部のウォームアップ完了をモード２における第２のウォームアップ開始トリガとする、すなわち、図９（ｂ）に示すように、モード２においては定着部のウォームアップ完了をもって後処理装置のウォームアップを開始することにしてもよい。
【０１２９】
＜発明の第３実施形態＞  第３実施形態では、ジョブ入力部と、印刷ジョブを判別する印刷ジョブ判別手段と、ジョブ判別手段で判別された判別結果に基づいて、加熱部の温度を制御する制御部とを有し、ジョブ判別手段で判別された判別結果に基づいて加熱部のウォームアップが制御される。
【０１３０】
図１２は、第３実施形態における画像形成装置Ａと製本装置Ｂからなる画像形成システムの制御関係を示すブロック図である。
【０１３１】
第３実施形態では、制御手段Ｃ１は、印刷ジョブ判別手段Ｃ１２の機能を有し、制御手段Ｃ２は第１のトリガ検知手段としての電源投入検知手段Ｃ２２、第２のトリガ検知手段としての製本実行検知手段Ｃ２３、加熱温度制御手段Ｃ２４、加熱手段準備検知手段Ｃ２５の機能を有する。
【０１３２】
印刷ジョブ判別手段Ｃ１２は印刷ジョブ記憶手段であるメモリＭ１を参照し、そこに記憶されている１個または複数個の印刷ジョブを検査し、どれかの印刷ジョブに後処理情報が含まれている場合は製本装置Ｂの制御手段Ｃ２に加熱手段準備の情報を送達する。また、最先に実行される印刷ジョブに製本実行の情報が含まれているときは、制御手段Ｃ２に製本実行の情報を送達する。加熱手段準備の情報または製本実行の情報を受け取った製本装置Ｂの制御手段Ｃ２は、この情報をメモリＭ２の所定の領域に記憶する。
【０１３３】
電源投入検知手段Ｃ２２は、画像形成装置Ａの操作表示手段６０や図示しない電源スイッチにより電源が投入されたことを直接に検知または電源が投入されたことを検知した制御手段Ｃ１から出力される信号を検知するようにして、製本装置Ｂの電源が投入されたことを検知する。
【０１３４】
製本実行検知手段Ｃ２３は、画像形成装置Ａの印刷ジョブ判別手段Ｃ１２から送信され、メモリＭ２に記憶された製本実行の情報を検知する。
【０１３５】
加熱温度制御手段Ｃ２４は、温度検知手段ＴＳ１、ＴＳ２で検知した温度に基づいて製本装置Ｂの主加熱ユニット３１０のヒータ３１２及び側面加熱ユニット３２０，３３０のヒータ３３２を制御することで、主加熱ユニット３１０及び側面加熱ユニット３２０、３３０を所定の温度にまで上昇するように制御する。
【０１３６】
加熱手段準備検知手段Ｃ２５は、画像形成装置Ａの印刷ジョブ判別手段Ｃ１２から送信され、メモリＭ２に記憶された加熱手段準備の情報を検知する。
【０１３７】
ウォームアップモード設定について説明する。
【０１３８】
製本装置Ｂはウォームアップモードを２つのモードから選択可能となっている。一方は、製本装置Ｂの電源投入と同時にウォームアップを開始し主加熱ユニット３１０及び側面加熱ユニット３２０、３３０を常時製本に対応できる所定の温度（本発明では第１の温度と呼ぶ）に維持しておくモード（モード１と呼ぶ）で、他方は、実行を待つジョブ（以下待機ジョブとも記す）に後処理設定がある場合に後処理装置Ｂのウォームアップを行い加熱手段を第１の温度に制御し、待機ジョブがないか、あっても後処理情報がない場合は、第１の温度より低くて常温より高い温度（本発明では第２の温度と呼ぶ）に制御するモード（モード２と呼ぶ）である。このウォームアップモードは前述した図７のフローチャートおよび図８の操作表示手段５００により設定される。
【０１３９】
図１３は製本装置Ｂの動作の流れを示すフローチャートである。
【０１４０】
ステップＳ４１では、図７で説明した処理で設定されたウォームアップモードが判断される。メモリＭ２の所定の領域に記憶されたモードの情報を参照して、モード１であれば（ステップＳ４１；Ｙｅｓ）、ステップＳ４３の処理が実行され、モード１でない、つまりモード２であれば（ステップＳ４１；Ｎｏ）、ステップＳ４２の処理が実行される。
【０１４１】
ステップ４２は、印刷ジョブ記憶手段に記憶された印刷ジョブを判別する印刷ジョブ判別工程であり、ジョブに加熱手段準備の情報が設定されているかどうかを判別する。判別は加熱手段準備検知手段Ｃ２５がメモリＭ２の所定の領域の情報を参照して行う。
【０１４２】
ステップＳ４３およびステップＳ４４は、印刷ジョブ判別工程で判別された判別結果に基づいて加熱部の温度を制御する加熱温度制御工程であり、ステップＳ４２にて加熱手段準備の情報が設定されていれば（ステップＳ４２；Ｙｅｓ）、ステップＳ４３の処理が実行され、加熱手段準備の情報が設定されていなければ（ステップＳ４２；Ｎｏ）、ステップＳ４４の処理が実行される。
【０１４３】
ステップＳ４３では、加熱手段である主加熱ユニット３１０及び側面加熱ユニット３２０、３３０を第１の温度への制御が開始される。
【０１４４】
ステップＳ４４では、主加熱ユニット３１０及び側面加熱ユニット３２０、３３０を第２の温度への制御が開始される。
【０１４５】
ステップＳ４５では、主加熱ユニット３１０、及び側面加熱ユニット３２０、３３０の加熱温度が製本可能な温度になっているかどうかが判断される。判断は、主加熱ユニット３１０の温度検知手段ＴＳ１、及び側面加熱ユニット３２０、３３０の温度検知手段ＴＳ２、ＴＳ３の温度を参照することにより行われる。主加熱ユニット３１０、及び側面加熱ユニット３２０、３３０の温度が製本可能温度に達している場合、ステップＳ４７を実行し、達していない場合ステップＳ４６を実行する。
【０１４６】
ステップＳ４６では、画像形成装置Ａへ製本機能が準備中であることを不図示の通信手段を用いて通達する。
【０１４７】
ステップＳ４７では、画像形成装置Ａへ製本機能が使用可能であることを不図示の通信手段を用いて通達する。
【０１４８】
ステップＳ４８では、ジョブに製本機能が設定されているのかどうかを判断する。判断は製本実行検知手段Ｃ２３がメモリＭ２の所定の領域の情報を参照して行う。製本実行の情報が設定されていると判断されると（ステップＳ４８；ＹＥＳ）、ステップＳ３９が実行され、製本機能が設定されていないと判断される（ステップＳ４８；ＮＯ）と、ステップＳ４１が実行される。
【０１４９】
ステップＳ４９では、製本処理が行われる。
【０１５０】
以上のように、モード２では、メモリＭ２の所定の領域に記憶された加熱手段準備の情報を参照して、ジョブに加熱手段準備の情報が設定されていれば加熱手段の第１の温度への制御が行われ、加熱手段準備の情報が設定されていなければ第２の温度への制御が行われる。ここで、メモリＭ２に記憶されている加熱手段準備の情報は、画像形成装置Ａの印刷ジョブ判別手段Ｃ１２から送達された加熱手段準備の情報に応じて設定されている。つまり、加熱温度制御手段Ｃ２４は印刷ジョブ判別手段Ｃ１２の判別結果に基づいて、加熱手段の温度を制御していることになる。
【０１５１】
次に、実施例の画像形成システムの消費電力の時間変化について図１４を用いて説明する。
【０１５２】
図１４（ａ）及び図１４（ｂ）は、縦軸に消費電力をとり横軸に時間をとった、消費電力と時間の関係を示す図であり、図１４（ａ）はモード１の場合のグラフ、図１４（ｂ）はモード２の場合のグラフである。なお、図１４（ａ）、図１４（ｂ）では説明を簡単にするため、ウォームアップに直接係わるヒータの消費電力のみ示してある。ＰMは電源に許容される最大電力であり、Ｐ1は本実施例の画像形成システムのウォームアップに使用する最大の電力である。Ｐ1はＰMに対して適当な余裕を持たせてある。Ｐ2は画像形成装置Ａはウォームアップが完了し、製本装置Ｂの加熱手段が第１の温度に制御されている状態での画像形成システムの待機電力である。Ｐ3は画像形成システムのうちの、画像形成装置Ａのみのウォームアップが完了し、製本装置Ｂの主加熱ユニット３１０及び側面加熱ユニット３２０、３３０には通電していないときの画像形成システムの待機電力である。Ｐ4は画層形成装置Ａのウォームアップが完了し、製本装置Ｂの加熱手段が第２の温度に制御されている状態での画像形成システムの消費電力である。このとき、第１の温度＞第２の温度、であるから、Ｐ2＞Ｐ4となっている。Ｃの領域は、画像形成装置Ａの消費電力を示し、Ｄの領域は製本装置Ｂの消費電力を示す。
【０１５３】
図１４（ａ）を参照して（モード１）、時間０は、図１３のフローチャートで製本装置Ｂの電源が投入され、ステップＳ４１でＹＥＳへ分岐しステップＳ４３の処理が実行されるタイミングである。このときウォームアップモードはモード１であるため、画像形成装置Ａ及び製本装置Ｂが同時にウォームアップを開始する。このとき、できるだけ短時間でウォームアップが完了するように電源容量ＰMに近いＰ1の消費電力が使用される。ｔ１はウォームアップが終了するタイミングである。これ以降の消費電力はＰ2に減少する。
【０１５４】
図１４（ｂ）を参照して（モード２）、時間０は図１３のフローチャートで製本装置Ｂの電源が投入されたタイミングである。このとき製本装置ＢはフローチャートのステップＳ４１でＮＯへ分岐し、ステップＳ４２でＮＯへ分岐し、ステップＳ４４の処理を実行し、ステップＳ４１へ戻るループを回っている。ステップＳ４４では加熱手段の第２の温度への制御が開始される。時間０からｔ２までの間は画像形成装置Ａのウォームアップと加熱手段の第２の温度へのウォームアップとが同時に行われており、できるだけ短時間でウォームアップが完了するように電源容量ＰMに近い消費電力Ｐ1でウォームアップを行っている。ｔ２では画像形成装置Ａ及び加熱手段のウォームアップが完了し、消費電力は画像形成装置Ａの待機電力Ｐ4まで減少している。
【０１５５】
なお、モード２では主加熱ユニット３１０、及び側面加熱ユニット３２０、３３０の加熱温度は第２の温度であるから、モード１に比べて加熱手段に投入する電力は少なくて済む。したがって、その分の電力を画像形成装置Ａのウォームアップに投入することができるので、画像形成装置２０のウォームアップが完了するまでの時間ｔ２はｔ１より短くなる。
【０１５６】
ｔ３は図１３に示すフローチャートでステップＳ４２で製本実行の情報が設定されていると判断されＹＥＳへ分岐して、ステップＳ４３の処理が実行されたタイミングである。このタイミングで製本装置Ｂの主加熱ユニット３１０のヒータ３１２、及び側面加熱ユニット３２０、３３０のヒータ３２２に電力が投入され第１の温度への制御が開始される。なお、第１の温度へのウォームアップはできるだけ短時間で完了するように電源容量ＰMに近いＰ1の電力が投入されている。
【０１５７】
ｔ４は第１の温度へのウォームアップが完了するタイミングで、消費電力は加熱手段が第１の温度に制御されている状態での画像形成システムの待機電力Ｐ2に減少している。
【０１５８】
ｔ５は図１３のフローチャートのステップＳ４９の製本処理が完了し、ステップＳ４１でＮＯへ分岐し、ステップＳ４２でＮＯへ分岐し（ここでは製本作業を実施する情報を持つ待機ジョブがないと仮定した）、ステップＳ４４で製本装置の加熱手段が第２の温度への制御が開始されたタイミングであり、消費電力は待機電力Ｐ4へ減少している。
【０１５９】
上述したように、ウォームアップのモードとしてモード２が選ばれた場合、画像形成システムのウォームアップはモード１に比べ短時間で完了する。また待機電力を比較するとモード１ではＰ2の電力が消費されているが、モード２では製本機能が選択されるまでは待機電力はＰ4であるので、モード１に比べ少ない電力で待機することができる。
【０１６０】
モード２で加熱手段の第２の温度への制御が開始された場合、この時点ではすでに画像形成装置Ａのウォームアップは完了しており、使用可能な電力を製本装置Ｂのウォームアップのみに投入でき、また常温からではなく第２の温度からのウォーミングアップであるので、比較的短時間でウォームアップを完了させることができ、作業者の感じるストレスは少なくて済む。
【０１６１】
また、印刷ジョブが複数待機している場合、印刷ジョブ判別手段Ｃ１２は待機中のすべての印刷ジョブを検査して判断を下すので、後処理情報が設定されている印刷ジョブが複数ジョブ先に実行されるものであっても、予め加熱手段を第１の温度に制御しておくことが可能となり、ウォーミングアップの待ち時間を省略することができる。
【０１６２】
図１５は、前述の製本装置加熱制御ルーチンの流れを示すフローチャートであり、３種のモードを持つ実施形態を示す。モード１では常時製本可能なようにウォームアップが行われ、モード２では印刷ジョブに応じてウォームアップが行われ、モード３では製本が行われるときのみウォームアップが行われる。この実施形態においても、印刷ジョブ判別手段Ｃ１２により、待機ジョブに後処理設定がある場合に後処理装置Ｂのウォームアップを行い加熱手段を第１の温度に制御し、待機ジョブがないか、あっても後処理情報がない場合は、第１の温度より低くて常温より高い第２の温度に制御することが好ましい。
【０１６３】
なお、上記で説明した実施の形態では、電源投入検知手段Ｃ２２、製本実行検知手段Ｃ２３、加熱温度制御手段Ｃ２４及び加熱手段準備検知手段Ｃ２５は、製本装置Ｂの制御手段Ｃ２に搭載されているが、これらの一部またはすべてを画像形成装置Ａの制御手段Ｃ１に搭載することも可能である。
【０１６４】
さらに、本発明の目的は前述した実施形態の機能を実現するソフトウェアのプログラムを記録した記憶媒体を、システムあるいは装置に供給し、そのシステムあるいは装置のコンピュータ（ＣＰＵ若しくはＭＰＵ）が記憶媒体に格納されたプログラムを読み出し実行することによっても、達成されることはいうまでもない。
【０１６５】
その他、画像形成システムを構成する各構成の細部構成及び細部動作に関しても、本発明の趣旨を逸脱することのない範囲で適宜変更可能である。
【０１６６】
上記各実施形態では、製本装置の製本手段として、ホットメルトタイプの接着剤が塗布された綴じテープのホットメルトを溶融させるための加熱手段を有する構成を例にとり説明したが、本発明は、例えば、シートの端部に加熱部により加熱した糊や接着剤を塗布してシートを重ねたシート束を押圧することによりシート束を綴じる構成の製本手段や、シートの端部に糊や接着剤を塗布してシートを重ねたシート束を加熱手段により加熱することにより糊や接着剤を溶融させる構成の製本手段にも適用可能である。
【０１６７】
また、後処理装置として、製本装置を例に取り説明したが、これに限定せず、加熱部を有する後処理装置であれば適用可能である。
【図面の簡単な説明】
【０１６８】
【図１】画像形成装置と後処理装置である製本装置からなる画像形成システムを示す概念図である。
【図２】製本装置の製本手段の近傍を模式的に示す図である。
【図３】画像形成装置と製本装置の制御関係を示すブロック図である。
【図４】発明の第１実施形態における製本装置のウォームアップ温度制御を示すフローチャートである。
【図５】発明の第１実施形態における画像形成システムのウォームアップの制御の流れを示すフローチャート（図５（ａ））と、第１実施形態の変形例における画像形成システムのウォームアップの制御の流れを示すフローチャート（図５（ｂ））である。
【図６】発明の第２実施形態における、画像形成システムの制御関係を示すブロック図である。
【図７】発明の第２実施形態における、画像形成システムにおけるウォームアップ設定処理の流れを示すフローチャートである。
【図８】発明の第２実施形態における、メニュー画面例（図８（ａ））と、モード設定画面例（図８（ｂ））である。
【図９】発明の第２実施形態における画像形成システムの、ウォームアップから後処理の流れを示すフローチャートである。
【図１０】発明の第２実施形態における画像形成システムの、消費電力の時間変化を示すグラフである。
【図１１】スリープモードを有する実施形態のフローチャートである。
【図１２】発明の第３実施形態における画像形成システムの、制御関係を示すブロック図である。
【図１３】発明の第３実施形態における画像形成システムの、ウォームアップから後処理の流れを示すフローチャートである。
【図１４】発明の第３の実施形態における画像形成システムの、消費電力の時間変化を示すグラフである。
【図１５】製本装置加熱制御ルーチンの流れを示すフローチャートである。
【符号の説明】
【０１６９】
Ａ  画像形成装置
Ｂ  製本装置
１  自動原稿送り装置
２  読み取り手段
３  書き込み手段
４  画像形成手段
５  定着手段
ＴＳ４  温度検知手段
６０  操作表示手段
１００  搬送手段
２００  シート整合手段
２０３、２０４  圧着部材
３００  製本手段
３１０  主加熱手段
３１１  加熱部材（ａ）
３１２  ヒータ（ａ）
ＴＳ１  温度検知手段（ａ）
３２０  側面加熱手段（ｂ）
３２１  加熱部材（ｂ）
３２２  ヒータ（ｂ）
ＴＳ２  温度検知手段（ｂ）
３３０  側面加熱手段（ｃ）
３３１  加熱部材（ｃ）
３３２  ヒータ（ｃ）
５００  操作表示手段
ＴＳ３  温度検知手段（ｃ）
ＴＴ  綴じテープ
Ｃ１  制御手段（画像形成装置）
Ｃ１１  ＣＰＵ
Ｃ１２  印刷ジョブ判別手段
Ｃ２  制御手段（製本装置）
Ｃ２１  ＣＰＵ
Ｃ２２  電源投入検知手段
Ｃ２３  製本ジョブ検知手段
Ｃ２４  ウォームアップ制御手段
Ｃ２５  加熱手段準備検知手段
【図１】
2006082543.tif 000003
【図２】
2006082543.tif 000004
【図３】
2006082543.tif 000005
【図４】
2006082543.tif 000006
【図５】
2006082543.tif 000007
【図６】
2006082543.tif 000008
【図７】
2006082543.tif 000009
【図８】
2006082543.tif 000010
【図９】
2006082543.tif 000011
【図１０】
2006082543.tif 000012
【図１１】
2006082543.tif 000013
【図１２】
2006082543.tif 000014
【図１３】
2006082543.tif 000015
【図１４】
2006082543.tif 000016
【図１５】
2006082543.tif 000017